(57)【要約】【課題】コンビネーションメータにおいて、通常時における一対のアナログ表示メータ部の視認性の向上と、緊急時や、運転者が多量の情報を必要とする時等の所定時におけるデジタル表示部の表示性能の向上とを両立させることのできるコンビネーションメータを提供する。【解決手段】ラック＆ピニオンを利用した進退駆動機構３３が、通常時には、一対のアナログ表示メータ部２３，２４をその一部がデジタル表示部２６の上に覆い被さるようにデジタル表示部２６の前方でメータ中心側に移動させると共に、緊急時やデジタル表示部２６に表示する情報量が多い情報多量時には、少なくとも一方のアナログ表示メータ部２３，２４をメータ中心から離れる方向に移動させることで、通常時における一対のアナログ表示メータ部２３，２４の視認性の向上と緊急時におけるデジタル表示部２６の表示性能の向上とを両立させることが可能になる。【選択図】図３
2010210338.tif 000002
【特許請求の範囲】
【請求項１】
検出値をアナログ的に表示する左右一対のアナログ表示メータ部と、
これらの一対のアナログ表示メータ部の間に配置されて情報を表示するデジタル表示部と、
を備えたコンビネーションメータであって、
それぞれの前記アナログ表示メータ部毎に装備されて、各アナログ表示メータ部をメータ使用者のアイポイントからの視線方向に傾いた傾斜軸上で進退移動させる進退駆動機構を備え、
前記進退駆動機構は、
前記アナログ表示メータ部が固定されるフレームと、
該フレームに結合されると共に前記傾斜軸に沿って移動自在にメータケース側のブラケットに支持されたガイド軸と、
ガイド軸と平行に前記フレームに結合されたラックと、
該ラックに噛合するピニオンを回転駆動するモータと、
を備えた構成で、
前記モータにより前記ピニオンを正逆回転させることで、前記アナログ表示メータ部を前記傾斜軸に沿って進退移動させて、前記デジタル表示部に表示する情報量又は情報内容が所定時には、少なくとも一方の前記アナログ表示メータ部が、前記デジタル表示部に覆い被さる位置又は覆い被さらない位置まで進退することを特徴とするコンビネーションメータ。
【請求項２】
検出値をアナログ的に表示する左右一対のアナログ表示メータ部と、
一方の前記アナログ表示メータ部に対して、他方の前記アナログ表示メータ部と反対側に位置するデジタル表示部と、
を備えたコンビネーションメータであって、
それぞれの前記アナログ表示メータ部毎に装備されて、各アナログ表示メータ部をメータ使用者のアイポイントからの視線方向に傾いた傾斜軸上で進退移動させる進退駆動機構を備え、
前記進退駆動機構は、
前記アナログ表示メータ部が固定されるフレームと、
該フレームに結合されると共に前記傾斜軸に沿って移動自在にメータケース側のブラケットに支持されたガイド軸と、
ガイド軸と平行に前記フレームに結合されたラックと、
該ラックに噛合するピニオンを回転駆動するモータと、
を備えた構成で、
前記モータにより前記ピニオンを正逆回転させることで、前記アナログ表示メータ部を前記傾斜軸に沿って進退移動させて、
前記デジタル表示部に表示する情報量又は情報内容に基づいて、前記各アナログ表示メータ部の一部が、前記デジタル表示部に覆い被さる量を変更可能に進退でき、
前記デジタル表示部に表示する情報量又は情報内容が所定時には、少なくとも一つの前記アナログ表示メータ部が、前記デジタル表示部に覆い被さる量の減少方向又は覆い被さらない配置まで進退する、
ことを特徴とするコンビネーションメータ。
【請求項３】
前記ブラケットが、前記ラックを前記ガイド軸に平行な方向に移動自在に保持するラック保持部を有していることを特徴とする請求項１又は２に記載のコンビネーションメータ。
【発明の詳細な説明】
【技術分野】
【０００１】
本発明は、検出値をアナログ的に表示する左右一対のアナログ表示メータ部と、これらの一対のアナログ表示メータ部の間に配置されて車両情報や警告等の緊急情報を表示するデジタル表示部とを備えたコンビネーションメータに関する。
【背景技術】
【０００２】
図５は、下記非特許文献１に開示されたコンビネーションメータ１の概略構成を示したもので、１つのメータパネル２上に、検出値をアナログ的に表示する左右一対のアナログ表示メータ部３，４と、これらの一対のアナログ表示メータ部３，４の間の中心であるメータ中心に配置されて警告等の緊急情報を表示するデジタル表示部６とを固定配置している。
【０００３】
このコンビネーションメータ１は、車両のインストルメントパネル内に装備されて、車両の動作状況を示す各種の検出値を表示するもので、アナログ表示メータ部３は車両の走行速度を指示する速度計、アナログ表示メータ部４はエンジン回転数を表示する回転計である。
【０００４】
デジタル表示部６は、例えば液晶ディスプレイを利用したもので、車載機器やエンジン等の部位に発生した障害に関する警告等の緊急情報が発生したときに、その情報を文字や図形等で表示する。
【０００５】
このコンビネーションメータ１の場合、デジタル表示部６に矩形の大きな表示面積を確保するために、一対のアナログ表示メータ部３，４間には十分な離間距離Ｌ１が付与されている。
【０００６】
図６は下記非特許文献２に開示されたコンビネーションメータ１１の概略構成を示したもので、１つのメータパネル１２上に、検出値をアナログ的に表示する左右一対のアナログ表示メータ部１３，１４と、これらの一対のアナログ表示メータ部１３，１４の間の中心であるメータ中心に配置されて警告等の緊急情報を表示するデジタル表示部１６とを固定配置している。
【０００７】
このコンビネーションメータ１１も、車両のインストルメントパネル内に装備されて、車両の動作状況を示す各種の検出値を表示するもので、アナログ表示メータ部１３は車両の走行速度を指示する速度計、アナログ表示メータ部１４はエンジン回転数を表示する回転計である。
【０００８】
そして、デジタル表示部１６は、例えば液晶ディスプレイを利用したもので、車載機器やエンジン等の部位に発生した障害に関する警告等の緊急情報が発生したときに、その情報を文字や図形等で表示する。
【０００９】
但し、コンビネーションメータ１１の場合は、一対のアナログ表示メータ部１３，１４間の離間距離Ｌ２を、デジタル表示部１６の最大幅寸法Ｌ３よりも小さく設定している。そのため、デジタル表示部１６は、両側にアナログ表示メータ部１３，１４の一部が食い込む円弧状の凹み部１７を形成した特殊構造で、情報を表示する面積が図５に示したデジタル表示部６よりも狭くなっている。
【先行技術文献】
【特許文献】
【００１０】
【特許文献１】ドイツ国特許公開公報ＤＥ４２４０４６５Ａ１
【非特許文献】
【００１１】
【非特許文献１】「http://www.audi.co.jp/audi/jp/jp2/new_cars/a6/a6_28_fsiq_limited.html」（ウェブページ、２００９年１月現在）
【非特許文献２】「http://www.audi.co.jp/audi/jp/jp2/new_cars/a8/12_cylinder/equipment.html」（ウェブページ、２００９年１月現在）
【発明の概要】
【発明が解決しようとする課題】
【００１２】
ところで、図５や図６に示したコンビネーションメータ１，１１において、通常時（非緊急時）は、メータ使用者（運転者）は主に一対のアナログ表示メータ部３，４，１３，１４の表示情報を頻繁に確認することになるが、図５に示したコンビネーションメータ１の場合は、一対のアナログ表示メータ部３，４の離間距離Ｌ１が広いために、これらの各メータ部を確認する際には視線の大きな移動が必要となり、これらのアナログ表示メータ部３，４に対する視認性が低下するという問題があった。
【００１３】
また、通常時は、デジタル表示部に表示する情報が少ないため、デジタル表示部が大きい表示面積を有していると、実際の情報表示域はその大きな画面の極一部しか活用できず、ディスプレイとして見栄えが悪いという問題も生じた。
【００１４】
一方、図６に示したコンビネーションメータ１の場合は、一対のアナログ表示メータ部１３，１４の離間距離Ｌ２が狭いために、これらの各メータ部を確認する際の視線移動が小さくて済み、これらのアナログ表示メータ部１３，１４に良好な視認性を確保することができる。しかし、車両の各部位に発生した障害に関する警告等の緊急情報を表示する緊急時には、デジタル表示部１６の表示面積が小さいために十分な情報を表示することができず、また、デジタル表示部１６の形状が特殊形状であるため、提供する緊急情報を視認し易く表示させることが難しく、緊急時におけるデジタル表示部１６の表示性能が低いという問題が生じた。
【００１５】
即ち、図５や図６に示したコンビネーションメータ１，１１では、コンビネーションメータにおいて、通常時における一対のアナログ表示メータ部の視認性の向上と、緊急時におけるデジタル表示部の表示性能の向上とを両立させることができないといった問題が生じた。
また、緊急時における情報表示時だけではなく、運転者が多量の情報を必要とする時にも同様の問題がある。現在、デジタル表示部に表示される情報としては、走行距離（オド、トリップ）、自動変速機ポジション（ＰＲＮＤＬ）、燃料量、冷却水温度、外気温度、エコ情報、オーディオ関連情報等があるが、将来的には、これらに加えて、ナビゲーションシステム、エアコンの情報や、インターネット上で提供されている情報等も表示することが考えられる。
【００１６】
更に、デジタル表示部に表示する情報が少ない通常時に、デジタル表示部が大きな表示面積を有している場合には、その大きな画面の極一部しか実際の情報表示に活用されず、活用されていない領域の大きさが目立つため、ディスプレイとしての見栄えが悪いという問題も生じた。
【００１７】
また、上記特許文献１には、デジタル表示部の両側に配置した一対のアナログ表示メータ部を、近接させたり離間させたりすることで、デジタル表示部の視認可能な面積を変える構成が開示されている。しかし、単にデジタル表示部の視認可能な面積を変えるだけでは、運転者に与える情報を強調することができず、視認性が良くないという問題がある。
【００１８】
本発明の目的は上記課題を解消することに係り、通常時における一対のアナログ表示メータ部の視認性の向上と、緊急時や、運転者が多量の情報を必要とする時等の所定時にデジタル表示部の表示性能の向上とを両立させることのでき、また、デジタル表示部への情報表示量が少なくなる通常時にはデジタル表示部の表示面積を縮減して、ディスプレイとしての見栄えを向上させることもでき、更に視認性を高めることもできるコンビネーションメータを提供することにある。
【課題を解決するための手段】
【００１９】
本発明の前述した目的は、下記の構成により達成される。
（１）検出値をアナログ的に表示する左右一対のアナログ表示メータ部と、
これらの一対のアナログ表示メータ部の間に配置されて情報を表示するデジタル表示部と、
を備えたコンビネーションメータであって、
それぞれの前記アナログ表示メータ部毎に装備されて、各アナログ表示メータ部をメータ使用者のアイポイントからの視線方向に傾いた傾斜軸上で進退移動させる進退駆動機構を備え、
前記進退駆動機構は、
前記アナログ表示メータ部が固定されるフレームと、
該フレームに結合されると共に前記傾斜軸に沿って移動自在にメータケース側のブラケットに支持されたガイド軸と、
ガイド軸と平行に前記フレームに結合されたラックと、
該ラックに噛合するピニオンを回転駆動するモータと、
を備えた構成で、
前記モータにより前記ピニオンを正逆回転させることで、前記アナログ表示メータ部を前記傾斜軸に沿って進退移動させて、前記デジタル表示部に表示する情報量又は情報内容が所定時には、少なくとも一方の前記アナログ表示メータ部が、前記デジタル表示部に覆い被さる位置又は覆い被さらない位置まで進退することを特徴とするコンビネーションメータ。
【００２０】
（２）検出値をアナログ的に表示する左右一対のアナログ表示メータ部と、
一方の前記アナログ表示メータ部に対して、他方の前記アナログ表示メータ部と反対側に位置するデジタル表示部と、
を備えたコンビネーションメータであって、
それぞれの前記アナログ表示メータ部毎に装備されて、各アナログ表示メータ部をメータ使用者のアイポイントからの視線方向に傾いた傾斜軸上で進退移動させる進退駆動機構を備え、
前記進退駆動機構は、
前記アナログ表示メータ部が固定されるフレームと、
該フレームに結合されると共に前記傾斜軸に沿って移動自在にメータケース側のブラケットに支持されたガイド軸と、
ガイド軸と平行に前記フレームに結合されたラックと、
該ラックに噛合するピニオンを回転駆動するモータと、
を備えた構成で、
前記モータにより前記ピニオンを正逆回転させることで、前記アナログ表示メータ部を前記傾斜軸に沿って進退移動させて、
前記デジタル表示部に表示する情報量又は情報内容に基づいて、前記各アナログ表示メータ部の一部が、前記デジタル表示部に覆い被さる量を変更可能に進退でき、
前記デジタル表示部に表示する情報量又は情報内容が所定時には、少なくとも一つの前記アナログ表示メータ部が、前記デジタル表示部に覆い被さる量の減少方向又は覆い被さらない配置まで進退する、
ことを特徴とするコンビネーションメータ。
【００２１】
（３）前記ブラケットが、前記ラックを前記ガイド軸に平行な方向に移動自在に保持するラック保持部を有していることを特徴とする上記（１）又は（２）に記載のコンビネーションメータ。
【００２２】
上記（１）の構成によれば、デジタル表示部に表示する情報量が少ない通常時は、少なくとも一方のアナログ表示メータ部をメータ中心側に寄った位置に移動させることができる。これにより、アナログ表示メータ部相互の離間距離が小さくなり、これらの一対のアナログ表示メータ部上の表示情報に対する確認動作が頻繁に発生しても、視線の移動が小さくて済み、一対のアナログ表示メータ部に対して良好な視認性を得ることができる。
【００２３】
また、通常時には、メータ中心側に寄った位置に移動した少なくとも一方のアナログ表示メータ部の一部がデジタル表示部の上に覆い被さった配置にすることで、使用者から視認可能なデジタル表示部の表示面積が縮減される。そのため、デジタル表示部に表示する情報が少なくても、情報表示に活用できないで空いている領域がそれほど目立たず、ディスプレイとしての見栄えを向上させることができる。
【００２４】
更に、デジタル表示部に表示する情報量や情報内容が所定時には、少なくとも一方のアナログ表示メータ部をデジタル表示部から離れる方向に移動させて、アナログ表示メータ部がデジタル表示部の上に重ならない配置にすることができる。これにより、デジタル表示部は、表示面積を広げた表示状態になり、より多くの情報を表示可能な高い表示性能を得ることができる。
【００２５】
ここで、情報量や情報内容が所定時とは、例えば、情報内容が緊急情報である時や、運転者が要求する情報が多い時（例えば、燃費、航続可能距離、複数のトリップ、出発時からの経過時間、などを一括表示することを望んだ場合など）である。
【００２６】
更に、上記（１）の構成によれば、デジタル表示部に表示する情報量が少ない通常時は、少なくとも一方のアナログ表示メータ部がメータ使用者のアイポイントからの視線方向に傾いた傾斜軸上をメータ使用者側に前進移動することでメータ中心側に寄った位置に移動するため、少なくとも一方のアナログ表示メータ部はデジタル表示部よりもメータ使用者側に迫り出した状態になり、メータ使用者にとっては少なくとも一方のアナログ表示メータ部が拡大・強調される状態になり、少なくとも一方のアナログ表示メータ部に対する視認性が更に向上する。
【００２７】
また、デジタル表示部に表示する情報量や情報内容が所定時には、少なくとも一方のアナログ表示メータ部がメータ使用者のアイポイントからの視線方向に傾いた傾斜軸上をメータ使用者とは反対側に後退移動することでメータ中心から離れてデジタル表示部に重ならない位置に後退移動するため、相対的にはデジタル表示部が少なくとも一方のアナログ表示メータ部よりもメータ使用者側に迫り出した状態になり、デジタル表示部が浮き上がるように強調表示された状態になる。そのため、メータ使用者にデジタル表示部に表示されている情報の確認を促すことができ、デジタル表示部における視認性を更に向上させることができる。
【００２８】
また、通常時表示状態に切り替わる時、又は表示する情報量や情報内容が所定時の表示状態に切り替わる時のいずれの場合も、少なくとも一方のアナログ表示メータ部はメータ使用者のアイポイントからの視線方向に傾いた傾斜軸上を移動するため、アイポイントから各アナログ表示メータ部への視線の移動を極めて些少に抑止することができ、アナログ表示メータ部の移動動作時にアナログ表示メータ部への視認性が低下することを防止することができる。
【００２９】
また、上記（１）の構成によれば、アナログ表示メータ部を前記傾斜軸方向に進退移動させる進退駆動機構は、所謂ラック＆ピニオンによる直線移動機構で、ピニオンを駆動するモータの制御だけで、各アナログ表示メータ部の直線移動を高精度に制御することができる。
【００３０】
また、進退駆動機構は、アナログ表示メータ部が固定されるフレームや、メータケース側に装備されるブラケットの形状・寸法等を変更することで、アナログ表示メータ部の取り付け位置、アナログ表示メータ部が移動する傾斜軸の位置や傾斜角度などを多様に変更することができ、例えば、デジタル表示部の寸法変更等に伴うアナログ表示メータ部の配置変更に対しても、柔軟に、且つ容易に対応することができる。
上記（２）の構成においても、上記（１）と同様の効果が得られる。
【００３１】
上記（３）の構成によれば、進退駆動機構は、互いに平行にフレームに固定されているガイド軸とラックとのそれぞれが、メータケース側のブラケットに傾斜軸方向に移動自在に支持されるため、ガイド軸が円柱状でも、フレームやラックがガイド軸回りに回動することがなく、安定した直線移動動作を確保することができる。
【発明の効果】
【００３２】
本発明によるコンビネーションメータによれば、通常時における一対のアナログ表示メータ部の視認性の向上と、表示する情報量や情報内容が所定時におけるデジタル表示部の表示性能の向上とを両立させることができ、更に、通常時にはデジタル表示部の表示面積を縮減して、ディスプレイとしての見栄え及び視認性を向上させることができる。
【００３３】
更に、本発明によるコンビネーションメータによれば、アナログ表示メータ部を前記傾斜軸方向に進退移動させる進退駆動機構は、所謂ラック＆ピニオンによる直線移動機構で、ピニオンを駆動するモータの制御だけで、各アナログ表示メータ部の直線移動を高精度に制御することができる。
【００３４】
また、進退駆動機構は、アナログ表示メータ部が固定されるフレームや、メータケース側に装備されるブラケットの形状・寸法等を変更することで、アナログ表示メータ部の取り付け位置、アナログ表示メータ部が移動する傾斜軸の位置や傾斜角度などを多様に変更することができ、例えば、デジタル表示部の寸法変更等に伴うアナログ表示メータ部の配置変更に対しても、柔軟に、且つ容易に対応することができる。
【図面の簡単な説明】
【００３５】
【図１】（ａ）は本発明に係るコンビネーションメータの一実施形態の通常時表示状態の時の正面図、（ｂ）は同一実施形態の緊急時表示状態の時の正面図である。
【図２】図１に示した通常時表示状態と緊急時表示状態とにおける各アナログ表示メータ部の位置を示す縦断面図である。
【図３】図１（ａ）のＡ−Ａ断面図である。
【図４】図３のＢ−Ｂ断面図である。
【図５】従来のコンビネーションメータの正面図である。
【図６】従来の別のコンビネーションメータの正面図である。
【発明を実施するための形態】
【００３６】
以下、本発明に係るコンビネーションメータの好適な実施形態について、図面を参照して詳細に説明する。
【００３７】
図１〜図４は、本発明に係るコンビネーションメータの一実施形態の説明図である。
【００３８】
図１〜図４に示したコンビネーションメータ２１は、１つのメータパネル２２上に、検出値をアナログ的に表示する左右一対のアナログ表示メータ部２３，２４と、これらの一対のアナログ表示メータ部２３，２４の間の中心であるメータ中心に配置されて多量の情報を表示することができるデジタル表示部２６とを備えている。
【００３９】
なお、以下の説明において、デジタル表示部２６が通常時以外に表示する多量の情報として警告等の緊急情報を例に説明するが、通常時以外に表示する多量の情報としては、燃費、航続可能距離、複数のトリップ、出発時からの経過時間などを一括表示する情報であってもよい。
【００４０】
このコンビネーションメータ２１は、車両のインストルメントパネル内に装備されて、車両の動作状況を示す各種の検出値を表示するもので、アナログ表示メータ部２３は文字盤２３ａ上を回転駆動される指針２３ｂによって車両の走行速度を指示する速度計、アナログ表示メータ部２４は文字盤２４ａ上を回転駆動される指針２４ｂによってエンジン回転数を表示する回転計である。
【００４１】
デジタル表示部２６は、例えば液晶ディスプレイを利用したもので、車載機器やエンジン等の部位に発生した障害に関する警告等の緊急情報が発生したときに、その情報を文字や図形等で表示する。また、デジタル表示部２６は、緊急情報が発生していない通常時には、図１（ａ）に示すように小さな表示面積で表示可能な走行距離データ等の補助データ２５の表示等にも使用される。
【００４２】
図１（ｂ）においてデジタル表示部２６に表示した図形２７は、エンジントラブルの発生を示すものである。
なお、本実施形態のデジタル表示部２６の場合、図１（ｂ）に示すように、デジタル表示部２６の表示領域が大きくなる緊急時表示状態の時には、図１（ｂ）に示すように、補助データ２５等を見易い大きさに拡大表示することも行う。
【００４３】
本実施形態のコンビネーションメータ２１の場合、デジタル表示部２６は、矩形の表示画面で、緊急時に表示する各種の情報を見易く表示できるように、十分な表示面積を確保している。
【００４４】
また、それぞれのアナログ表示メータ部２３，２４は、図２及び図３に示すように、各メータ毎に装備された進退駆動機構３３により、メータ使用者のアイポイントからの視線ｉ１，ｉ２の方向に傾いた傾斜軸ｋ１，ｋ２上を進退可能に支持されている。
【００４５】
図２において実線で示したアナログ表示メータ部２３，２４はデジタル表示部２６に表示する情報量が少ない通常時の時の位置を示しており、破線で示したアナログ表示メータ部２３，２４はデジタル表示部２６に表示する情報量が多い緊急時の時の位置を示している。
【００４６】
デジタル表示部２６の裏側には、図３に示すように、アナログ表示メータ部２３，２４やデジタル表示部２６の動作を制御するメータ動作制御基板６１と、前記進退駆動機構３３のモータ４１の動作を制御する駆動機構制御基板６３とが、２段に配置されている。
【００４７】
前述の傾斜軸ｋ１，ｋ２の傾斜角は、構造上、可能であるなら、予め統計等に基づいて設定した標準のアイポイント位置からの視線ｉ１，ｉ２に一致させることが望ましい。しかし、実際は標準のアイポイント位置からの視線ｉ１，ｉ２を一義に決定することが困難なため、また、構造上も制約があるため、視線ｉ１，ｉ２との挟角θが既定値以下となる適宜傾斜角に設定する。ここで、挟角θはできるだけ小さいことが好ましい。
【００４８】
本実施形態の進退駆動機構３３は、アナログ表示メータ部２３，２４が固定されるフレーム３５と、該フレーム３５に結合されると共に前記傾斜軸ｋ１，ｋ２に沿って移動自在にメータケース３６側のブラケット（ガイド体）３４に支持された略円柱状のガイド軸３７と、ガイド軸３７と平行にフレーム３５に結合されたラック３８と、該ラック３８に噛合するピニオン３９を回転駆動するモータ４１と、を備えた構成で、モータ４１によりピニオン３９を正逆回転させることで、アナログ表示メータ部２３，２４を傾斜軸ｋ１，ｋ２に沿って進退移動させる。
【００４９】
モータ４１には、駆動機構制御基板６３からの制御ケーブル６５が接続されている。駆動機構制御基板６３は、制御ケーブル６６によってメータ動作制御基板６１と制御信号等の送受が可能にされていて、デジタル表示部２６に表示する情報量が少ない通常時の時にはアナログ表示メータ部２３，２４が図２に実線で示した位置となるように、また、デジタル表示部２６に表示する報量が多い緊急時の時にはアナログ表示メータ部２３，２４が図２に破線で示した位置となるように、モータ４１の回転動作を制御する。
【００５０】
ブラケット３４は、ステー７１及びフランジ７３を介してメータケース３６に固定されている。また、ブラケット３４は、図４に示すように、円柱状のガイド軸３７を支持するガイド支持部８１と、ラック３８を保持するラック保持部８２とを有している。
【００５１】
ガイド支持部８１は、略円筒状で、ガイド軸３７が摺動自在に嵌合したベアリング８４を介して、ガイド軸３７を傾斜軸ｋ１，ｋ２方向に移動自在に支持している。
【００５２】
ラック保持部８２は、ラック３８の歯３８ａが装備されている側とは逆側から、ラック３８の３方を摺動可能に保持する断面コ字状に形成されていて、ラック３８を傾斜軸ｋ１，ｋ２方向（即ち、ガイド軸３７と平行な方向）に移動自在に保持している。
【００５３】
本実施形態のコンビネーションメータ３１の場合、進退駆動機構３３は、デジタル表示部２６に表示する情報量が少ない通常時には、一対のアナログ表示メータ部２３，２４を傾斜軸ｋ１，ｋ２に沿ってアイポイント側に移動させることにより、図１（ａ）に示すように、一対のアナログ表示メータ部２３，２４をメータ中心側に寄った位置に移動させる。これにより、各アナログ表示メータ部２３，２４の一部がデジタル表示部２６の上に覆い被さった配置になって、デジタル表示部２６の表示面積を狭めた通常時表示状態になる。
【００５４】
また、進退駆動機構３３は、デジタル表示部２６に表示する情報量が多い緊急時には、一対のアナログ表示メータ部２３，２４を傾斜軸ｋ１，ｋ２に沿ってアイポイントから遠ざかる方向に移動させることにより、図１（ｂ）に示したように、一対のアナログ表示メータ部２３，２４をデジタル表示部２６の上に重ならない位置に移動させる。これにより、デジタル表示部２６が表示面積を広げた緊急時表示状態になる。
ここで、一対のアナログ表示メータ部２３，２４は、同時に駆動されてもよく、別々に駆動されてもよく、一方だけが駆動されてもよい。
【００５５】
以上に説明したコンビネーションメータ２１の構成によれば、デジタル表示部２６に表示する情報量が少ない通常時は、図１（ａ）に示したように、左右一対のアナログ表示メータ部２３，２４はメータ中心側に寄った位置に移動していて、アナログ表示メータ部２３，２４相互の離間距離が小さいため、これらの一対のアナログ表示メータ部２３，２４上の表示情報に対する確認動作が頻繁に発生しても、視線の移動が小さくて済み、一対のアナログ表示メータ部２３，２４に対して良好な視認性を得ることができる。
【００５６】
また、通常時には、メータ中心側に寄った位置に移動した各アナログ表示メータ部２３，２４の一部がデジタル表示部２６の上に覆い被さった配置になって、使用者から視認可能なデジタル表示部２６の表示面積が縮減される。そのため、デジタル表示部２６に表示する情報が少なくても、情報表示に活用できないで空いている領域がそれほど目立たず、ディスプレイとしての見栄えを向上させることができる。
【００５７】
更に、デジタル表示部２６に表示する情報量が増える緊急時には、図１（ｂ）に示したように、一対のアナログ表示メータ部２３，２４がメータ中心から離れる方向に移動して、アナログ表示メータ部２３，２４がデジタル表示部２６の上に重ならない配置になる。これにより、デジタル表示部２６は、表示面積を広げた緊急時表示状態になり、より多くの情報を表示可能な高い表示性能を得ることができる。
【００５８】
従って、上記コンビネーションメータ２１の構成によれば、通常時における一対のアナログ表示メータ部２３，２４の視認性の向上と、緊急時におけるデジタル表示部２６の表示性能の向上とを両立させることができ、更に、通常時にはデジタル表示部２６の表示面積を縮減して、ディスプレイとしての見栄えを向上させることもできる。
【００５９】
また、本実施形態のコンビネーションメータ２１では、デジタル表示部２６に表示する情報量が少ない通常時は、一対のアナログ表示メータ部２３，２４が傾斜軸ｋ１，ｋ２上を前進移動することで図１に示したようにメータ中心側に寄った位置に移動するため、一対のアナログ表示メータ部２３，２４はデジタル表示部２６よりもメータ使用者側に迫り出した状態になる。そのため、メータ使用者にとっては一対のアナログ表示メータ部２３，２４が拡大・強調される状態になり、一対のアナログ表示メータ部２３，２４に対する視認性が更に向上する。
【００６０】
また、デジタル表示部２６に表示する情報量が増える緊急時には、一対のアナログ表示メータ部２３，２４が傾斜軸ｋ１，ｋ２上を後退移動することで図１（ｂ）に示したようにメータ中心から離れてデジタル表示部２６に重ならない位置に後退移動するため、相対的にはデジタル表示部２６が一対のアナログ表示メータ部２３，２４よりもメータ使用者側に迫り出して浮き上がったような状態になり、デジタル表示部２６が強調表示された状態になる。
そのため、メータ使用者にデジタル表示部２６に表示されている緊急情報の確認を促すことができ、デジタル表示部２６における視認性を更に向上させることができる。
【００６１】
また、本実施形態のコンビネーションメータ２１では、通常時表示状態に切り替わる時、又は緊急時表示状態に切り替わる時のいずれの場合も、アナログ表示メータ部２３，２４の移動はメータ使用者のアイポイントからの視線方向に傾いた傾斜軸ｋ１，ｋ２上を移動するため、アイポイントから各アナログ表示メータ部２３，２４への視線の移動を極めて些少に抑止することができ、アナログ表示メータ部２３，２４の移動動作時にアナログ表示メータ部２３，２４への視認性が低下することを防止することができる。
【００６２】
従って、上記コンビネーションメータ２１の構成によれば、通常時における一対のアナログ表示メータ部２３，２４の視認性の向上と、緊急時におけるデジタル表示部２６の表示性能の向上とを両立させることができ、更に、通常時にはデジタル表示部２６の表示面積を縮減して、ディスプレイとしての見栄え及び視認性を向上させることもできる。
【００６３】
また、本実施形態のコンビネーションメータ２１では、アナログ表示メータ部２３，２４を傾斜軸ｋ１，ｋ２方向に進退移動させる進退駆動機構３３は、所謂ラック＆ピニオンによる直線移動機構で、ピニオン３９を駆動するモータ４１の制御だけで、各アナログ表示メータ部２３，２４の直線移動を高精度に制御することができる。
【００６４】
また、進退駆動機構３３は、アナログ表示メータ部２３，２４が固定されるフレーム３５や、メータケース３６側に装備されるブラケット３４、あるいはフランジ７３等の形状・寸法等を変更することで、アナログ表示メータ部２３，２４の取り付け位置、アナログ表示メータ部２３，２４が移動する傾斜軸ｋ１，ｋ２の位置や傾斜角度などを多様に変更することができ、例えば、デジタル表示部の寸法変更等に伴うアナログ表示メータ部２３，２４の配置変更に対しても、柔軟に、且つ容易に対応することができる。
【００６５】
また、本実施形態のコンビネーションメータ２１では、進退駆動機構３３は、図４にも示したように、互いに平行にフレーム３５に固定されているガイド軸３７とラック３８とのそれぞれが、メータケース３６側のブラケット３４に傾斜軸ｋ１，ｋ２方向に移動自在に支持されるため、ガイド軸３７が円柱状でも、フレーム３５やラック３８がガイド軸３７の回りに回動することがなく、安定した直線移動動作を確保することができる。
【００６６】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６７】
例えば、本発明のコンビネーションメータにおいて、左右一対のアナログ表示メータ部の具体例は、上記実施形態に示した速度計や回転計に限らない。更に、本発明に係るコンビネーションメータの用途は、上記実施形態に示した車両用に限るものではなく、多数の情報を検知して表示する一般産業機器等の検知情報表示部に応用することも考えられる。
【００６８】
また、上記実施形態は、デジタル表示メータ部が、コンビネーションメータの略中央部に配置されているが、デジタル表示メータ部は、左右いずれかにずれて配置されていてもよい。この場合にも、アナログ表示メータ部はデジタル表示メータ部の両側に配置されて、上記実施形態と同様の動作が実行され、同様の効果が得られる。
更に、デジタル表示部は、２つのアナログ表示メータ部の間ではなく、一方のアナログ表示メータ部に対して、他方の前記アナログ表示メータ部と反対側に配置されてもよい。
【符号の説明】
【００６９】
２１  コンビネーションメータ
２２  メータパネル
２３，２４  アナログ表示メータ部
２６  デジタル表示部
３１  コンビネーションメータ
３３  進退駆動機構
３４  ブラケット
３５  フレーム
３６  メータケース
３７  ガイド軸
３８  ラック
３９  ピニオン
４１  モータ
７１  ステー
７３  フランジ
８１  ガイド支持部
８２  ラック保持部
８４  ベアリング
【図１】
2010210338.tif 000003
【図２】
2010210338.tif 000004
【図３】
2010210338.tif 000005
【図４】
2010210338.tif 000006
【図５】
2010210338.tif 000007
【図６】
2010210338.tif 000008